(57)【要約】      （修正有）【課題】紙が細幅（１．０〜３．０ｍｍ）に裁断された扁平な紙テープがスパイラル状にかつ積層状に巻かれたパッケージを巻き返し撚糸工程、製織編み工程での使い易さを提供することである。【解決手段】本発明の巻き取り装置は紙が細幅（１．０〜３．０ｍｍ）に裁断された扁平な紙テープがスパイラル状にかつ積層状に巻かれたパッケージから扁平な紙糸を引き出し給油機構において扁平な紙糸に水溶性界面活性剤を付与することで湿潤化し一本の扁平な紙テープ上にわずかながらのＳ方向の撚りとＺ方向の撚りが形成された状態で張力を掛け円周上の表面に特殊な溝が刻まれたドラムローラの上面に設置され支持金具と紙管ホルダーで構成されたクレドール装置に円周上の表面に特殊な溝が刻まれたドラムローラと接触した形態で円周上の表面に特殊な溝が刻まれたドラムローラの周速と同速度で回転する紙管に綾角度１５°〜４５°の範囲で巻き幅６０〜２５０ｍｍのパッケージ形態で巻き取るものである。【選択図】図１
2005306600.tif 000002
【特許請求の範囲】
【請求項１】
紙糸用巻き替え装置であって紙が細幅（１．０〜３．０ｍｍ）に裁断された扁平な紙テープがスパイラル状（綾角度０．５°〜１．０°）にかつ積層状に巻かれたパッケージから引き出された扁平な紙テープの表面に水溶性界面活性油剤を付着させる給油機構と水溶性界面活性油剤が付着した扁平な紙テープに巻き取り張力を与えるテンション装置と細幅に裁断した扁平な紙テープを綾角度１５°〜４５°の範囲で巻き幅６０〜２５０ｍｍのパッケージ形態に巻き替える巻き取り機構で構成された紙糸用巻き取り装置。
【請求項２】
「請求項１」記載の巻き取り装置の支持架台に固定された細幅（１．０〜３．０ｍｍ）に裁断された扁平な紙テープがスパイラル状（綾角度０．５°〜１．０°）にかつ積層状に巻かれたパッケージから扁平な紙テープの引き出し張力で回転する紙テープパッケージ用回転装置。
【請求項３】
「請求項１」記載の巻き取り装置の巻き取り機構部に設置され細幅（１．０〜３．０ｍｍ）に裁断した扁平な紙テープが綾角度１５°〜４５°の範囲で巻き幅６０〜２５０ｍｍで巻かれたパッケージでのリボンの発生を抑制すべくドラムの直径が１２０ｍｍ以上、長さが７０ｍｍ〜２６０ｍｍの円筒型で円周上の表面に綾角度が１５°〜４５°の範囲で巻き幅６０〜２５０ｍｍのパッケージ形態になり巻き取りドラムが回転すると紙糸を左右に誘導するための特殊な溝が刻まれている巻き取りドラム。
【請求項４】
「請求項１」記載の巻き取り装置の給油機構部に設置され扁平な紙糸に水溶性界面活性油剤等を付着させるべく水溶性界面活性油剤の油剤液面に接触しながら回転しまた回転速度により付着量を調整できる水溶性界面活性油剤付着ローラを有する給油装置。
【請求項５】
「請求項１」の巻き取り装置によって得られた細幅（０．５〜３．０ｍｍ）に裁断した扁平な紙テープに水溶性界面活性油剤を付着させ綾角度１５°〜４５°の範囲で巻き幅６０〜２５０ｍｍで巻かれたパッケージ形態。
【請求項６】
紙を細幅（１．０〜３．０ｍｍ）に裁断した扁平な紙テープがスパイラル状（綾角度０．５°〜１．０°）にかつ積層状に巻かれたパッケージをあらかじめ水溶性界面活性油剤と水の混合水溶液に浸し「請求項１」の巻き取り装置で巻きかえす方法。
【発明の詳細な説明】
【技術分野】
【０００１】本発明は一般的な紙糸に関し、主に主原料を楮、三椏、マニラ麻等とした原紙や主原料をモミ、トドマツ、カラマツ、エゾマツ、クロマツ、アカマツ、ヒノキ、スギ、マキ、ヒバ、カヤ、ツガ、ベイモミ、トウヒ、レッドウッド、ヘムロック等の針葉樹、コットンウッド、タスマニアオーク、アスベン等の広葉樹とした各種パルプ紙が細幅（１．０〜３．０ｍｍ）に裁断された扁平な紙テープがスパイラル状（綾角度０．５°〜１．０°）にかつ積層状に巻かれたパッケージ形態〔図Ａ〕を細幅（１．０〜３．０ｍｍ）に裁断された扁平な紙テープの表面に水溶性界面活性剤等を付着させ綾角度１５°〜４５°の範囲で巻き幅６０〜２５０ｍｍで巻かれたパッケージ形態〔図Ｂ〕に巻き返すための紙糸の巻き取り装置、巻き取り方法及びパッケージ形態に関するものである
【背景技術】
【０００２】従来、紙が細幅（１．０〜３．０ｍｍ）に裁断された扁平な紙テープのパッケージ形態は細幅（１．０〜３．０ｍｍ）に裁断された扁平な紙テープは伸度、糸強力がない理由でスリッター（細幅紙糸用裁断機）での巻き取りにおいてスリッター（細幅紙糸用裁断機）の送り出しローラと巻き取りローラとの張力を一定にする必要上、細幅（１．０〜３．０ｍｍ）に裁断された扁平な紙テープをトラバース（糸振り）速度を遅くしてスパイラル状（綾角度０．５°〜１．０°）に巻き取られたものや扁平な紙テープを積層状に巻いていくのでパッケージの両端での綾崩れ綾落ちが多く取り扱いが困難でこれを解決すべく両鍔ボビンに巻いたものもある。【０００３】しかしながら紙が細幅（１．０〜３．０ｍｍ）に裁断された扁平な紙テープがスパイラル状（綾角度０．５°〜１．０°）にかつ積層状に巻かれたパッケージ形態から細幅（１．０〜３，０ｍｍ）に裁断された扁平な紙テープを引き出すには、各種紡績糸、フィラメント糸と同様の手段で上方向にはパッケージの両端での綾崩れや扁平な紙糸のエッジ部（スリット面）に接触したときと扁平な紙テープの裏表面に接触したときとの張力変動における糸切れの多発等の要因で正確に引き出すことが容易ではなく、細幅（１．０〜３．０ｍｍ）に裁断された扁平な紙テープが両鍔ボビンに巻かれたパッケージについても紙テープの巻き量が少量でパッケージ本体を回転させながら扁平な紙テープを引き出さなくてはならず取り扱いの困難から市場への普及率が低かった。また紙テープは乾燥状態では引き出し張力が安定せずまた紙本来の特質でもあるコシの強さもあり撚糸工程においては扁平な紙テープがスパイラル状（綾角度０．５°〜１．０°）にかつ積層状に巻かれたパッケージを水のなかに浸けてその後撚糸機で撚糸するといった水撚り方式や紙テープの引っ張り張力で扁平な紙テープをスパイラル状（綾角度０．５°〜１．０°）にかつ積層状に巻かれたパッケージを回転させながら引き出しその後の工程で水もしくは水溶性界面活性等を扁平な紙テープの表面に付着させ撚糸する手段が一般的に用いられているがこれらの方法についてもパッケージ全体を水に浸けるためにパッケージの内外層で水の浸透率の差が発生し内層になるほど水が紙に浸透せず外層部の扁平な紙テープの撚糸形状と内層部の扁平な紙テープの形状が変化してしまう。また扁平な紙テープがスパイラル状（綾角度０．５°〜１．０°）にかつ積層状に巻かれたパッケージの重量による張力変動が発生しそれにより糸切れの多発と一本の紙糸上に短い間隔で撚りが掛かった部分と、撚りが掛からなかった部分が形成されてしまう。その結果紙糸全体に均一性がなく凹凸が目立ち滑りも悪くなるので製織編み工程においても織機のテンション調整部等にひっかかったりまた編み機の針等にひっかかったりする問題が多々発生している。
【発明が解決しようとする課題】
【０００４】本発明は従来の紙が細幅（１．０〜３．０ｍｍ）に裁断された扁平な紙テープの巻き形状つまり紙が細幅（１．０〜３．０ｍｍ）に裁断された扁平な紙テープがスパイラル状（綾角度０．５°〜１．０°）にかつ積層状に巻かれたパッケージ形態を紙が細幅（１．０〜３．０ｍｍ）に裁断された扁平な紙テープに水溶性界面活性剤を付着させ綾角度１５°〜４５°の範囲で巻き幅６０〜２５０ｍｍに巻かれたパッケージ形態に巻き返すことにより扁平な紙テープでありながら各種紡績糸、フィラメント糸と同様の手段で容易に紙テープを上方向に引き出すことを可能にし、また水溶性界面活性剤の効果により扁平な紙テープの滑りが良好になるので撚糸、製織編み工程において紙糸の使い易さと生産性の向上を目的とするものである。
【課題を解決するための手段】
【０００５】前記課題を解決するために本発明の紙テープの巻き取り装置は紙が細幅に（１．０〜３．０ｍｍ）に裁断された扁平な紙テープがスパイラル状（綾角度０．５°〜１．０°）にかつ積層状に巻かれたパッケージを固定する自回転機構を備えた支持架台と支持架台に固定され紙が細幅（１．０〜３．０ｍｍ）に裁断された扁平な紙テープがスパイラル状（綾角度０．５°〜１．０°）にかつ積層状に巻かれたパッケージから引き出された細幅（１．０〜３．０ｍｍ）に裁断された扁平な紙テープに水溶性界面活性剤等を付着させる給油機構と水溶性界面活性剤等が付着した細幅（１．０〜３．０ｍｍ）に裁断された扁平な紙テープに巻き取り張力を与え余分な水溶性界面活性剤等の除去機能を備えたテンション装置と細幅（１．０〜３．０ｍｍ）に裁断された扁平な紙テープを綾角度１５°〜４５°の範囲で巻き幅６０〜２５０ｍｍに巻きかえる巻き取り機構で構成された細幅（１．０〜３．０ｍｍ）に裁断された扁平な紙テープを巻き取るための巻き取り装置で有することを特徴とする。
【０００６】本発明装置は〔図１〕で示すように、紙が細幅（１．０〜３．０ｍｍ）に裁断された扁平な紙テープがスパイラル状（綾角度０．５°〜１．０°）にかつ積層状に巻かれたパッケージを自回転機構が装備された支持架台の上面に固定し、モータで駆動する巻き取りドラムの回転速度（毎分１５００ｍ程度）で細幅（１．０〜３．０ｍｍ）に裁断した扁平な紙テープを連続的に引き出す。この際、細幅（１．０〜３．０ｍｍ）に裁断された扁平な紙テープがスパイラル状（綾角度０．５°〜１．０°）にかつ積層状に巻かれたパッケージから細幅（１．０〜３．０ｍｍ）に裁断された扁平な紙テープを引き出すと扁平な紙テープの引き出し張力で細幅（１．０〜３，０ｍｍ）に裁断された扁平な紙テープがスパイラル状にかつ積層状に巻かれたパッケージが扁平な紙テープの引き出し方向と同方向つまり解除方向に回転するので扁平な紙テープがスパイラル状（綾角度０．５°〜１．０°）にかつ積層状に巻かれたパッケージから引き出される際に発生するパッケージの両端での綾崩れ（スラフィング現象）や扁平な紙テープのエッジ部（スリット部）に接触したときと扁平な紙テープの裏表面に接触したときとの張力変動における糸切れを抑制するものである。
【０００７】このように連続的に引き出された細幅（１．０〜３．０ｍｍ）に裁断された扁平な紙テープは次に給油機構に導かれ、水溶性界面活性剤等が入った貯蔵用容器の上方に設置され水溶性界面活性剤等の水面から下方に１０ｍｍ程度浸かった状態で回転する水溶性界面活性剤等付着用ローラの上表面に接触しながら捩れた状態で連続的に通過する。このとき水溶性界面活性剤等は細幅（１．０〜３．０ｍｍ）に裁断された扁平な紙テープに付着する。
【０００８】次に水溶性界面活性剤等が付着した細幅（１．０〜３．０ｍｍ）に裁断された扁平な紙テープは巻き取り張力を調整するテンション装置を通過する。テンション装置は中心に穴のあいた２枚の皿状ウェイトワッシャーが互いに底面を接触する形態で垂直方向に固定された２箇所のねじに設置されている。水溶性界面活性剤等が付着した細幅（１．０〜３．０ｍｍ）に裁断された扁平な紙テープは２枚で構成される皿状ウェイトワッシャーの底面接触部分に挟まれかつ、ねじの表面に水平方向にきざまれたの溝でしごかれる状態で連続的に通過するので、紙を細幅（１．０〜３．０ｍｍ）に裁断した扁平な紙テープの形状は適度に潰された扁平な紙テープ形状になり細幅（１．０〜３．０ｍｍ）に裁断された扁平な紙テープに付着した余分な水溶性界面活性剤等も絞り出される。
【０００９】余分な水溶性界面活性剤等が絞り出され水溶性界面活性剤等が付着した細幅（１．０〜３．０ｍｍ）に裁断された扁平な紙テープはテンション装置で適度の張力が掛けられ巻き取りドラムに導かれる。巻き取りドラムの円周上の表面には水溶性界面活性剤等が付着した細幅（１．０〜３．０ｍｍ）に裁断された扁平な紙テープが紙管に巻かれたときの綾角度が１５°〜４５°の範囲で巻き幅６０〜２５０ｍｍになり巻き取りドラムが回転すると紙テープを左右に誘導するための特殊な溝が刻まれており特殊な溝に誘導された水溶性界面活性剤等が付着した細幅（１．０〜３．０ｍｍ）に裁断された扁平な紙テープは特殊な溝の進行方向の表面に接触しながら移動するのでその摩擦抵抗により裏表がひっくり返りその結果、水溶性界面活性剤等が付着した細幅（１．０〜３．０ｍｍ）に裁断された扁平な紙テープは一本の扁平な紙テープ上にわずかながらのＳ方向の撚りとＺ方向の撚りを形成した水溶性界面活性剤等が付着した細幅（１．０〜３．０ｍｍ）に裁断された扁平な紙テープとなり巻き取りドラムの上面に設置され常に巻き取りドラムの周速と同速で回転する紙管に綾角度が１５°〜４５°の範囲で巻き幅６０〜２５０ｍｍの形態で巻き取られる。
【００１０】また紙が細幅（１．０〜３．０ｍｍ）に裁断された扁平な紙テープに水溶性界面活性剤等を付着させ綾角度１５°〜４５°の範囲で巻き幅６０〜２５０ｍｍに巻かれたパッケージ形態であれば製織編み工程においても撚糸することなく扁平な紙テープの形態での使用が可能である。撚糸工程においても各種紡績糸、フィラメント糸と同様の手段で容易に紙を細幅（１．０〜３．０ｍｍ）に裁断した扁平な紙テープを引き出すことができるので製織編み製品の用途に準拠した各種紡績糸、フィラメント糸との複合撚糸や従来、困難とされてきた各種紡績糸、フィラメント糸の周囲に扁平な紙テープを螺旋状に巻きつける複合撚糸も細幅（１．０〜３．０ｍｍ）に裁断された扁平な紙テープに水溶性界面活性剤等を付着させ綾角度１５°〜４５°以下で巻き幅１００〜２５０ｍｍに巻かれたパッケージの両端に専用の付属装置を装着することによりカバリング方式の撚糸機、精紡機で可能となる。
【００１１】
【請求項１】
の発明は紙が細幅（１．０〜３．０ｍｍ）に裁断された扁平な紙テープがスパイラル状（綾角度０．５°〜１．０°）にかつ積層状に巻かれたパッケージ形態を細幅（１．０〜３．０ｍｍ）に裁断した扁平な紙テープに水溶性界面活性剤等を付着させ綾角度１５°〜４５°の範囲で巻き幅６０〜２５０ｍｍに巻かれたパッケージ形態に巻き替えることを特徴とする紙糸用巻き取り装置である。
【００１２】
【請求項２】
の発明は扁平な紙テープを紙が細幅（１．０〜３．０ｍｍ）に裁断された扁平な紙テープがスパイラル状（綾角度０．５°〜１．０°）にかつ積層状に巻かれたパッケージから引き出す際に扁平な紙テープの引き出し張力で自回転するように細幅（１．０〜３．０ｍｍ）に裁断された扁平な紙テープがスパイラル状（綾角度０．５°〜１．０°）にかつ積層状に巻かれたパッケージの固定架台の中心軸にベアリングを装着した回転式架台装置である。
【００１３】
【請求項３】
の発明は前記の巻き取り装置の巻き取り機構部に設置されている円周上の表面に綾角度１５°〜４５°の範囲で巻き幅６０〜２５０ｍｍのパッケージ形態になり巻き取りドラムが回転すると紙テープを左右に誘導するための特殊な溝が円周上の表面に刻まれている直径１２０ｍｍ以上、長さ７０ｍｍ以上の円筒型の巻き取りドラムである。通常、ドラムの直径と巻き取られた扁平な紙テープのパッケージの直径が同じになると巻き取られた細幅（１．０〜３．０ｍｍ）に裁断された扁平な紙テープのパッケージにリボン（一般的には紙を細幅（１．０〜３．０ｍｍ）に裁断した扁平な紙テープが同じ軌跡で重なって巻かれそれによって巻き取られた細幅（１．０〜３．０ｍｍ）に裁断された扁平な紙テープがパッケージの一部でもり上がり崩れる現象）が発生しまた綾角度が大きいとドラムの円周上の表面にきざまれた溝で紙テープを左右に誘導され引っ張られる際に扁平な紙テープに対して斜めの引き裂き張力が大きくなり巻き取り工程において紙テープの糸切れが多発する。
【００１４】前記記述の課題を解決するために巻き取りドラムの直径は１２０ｍｍ以上で紙テープを左右に誘導するための特殊な溝は紙を細幅（１．０〜３．０ｍｍ）に裁断した扁平な紙テープが綾角度１５°〜４５°の範囲で紙管に巻き取られるように円周上に刻まれている。
【００１５】
【請求項４】
の発明は水溶性界面活性剤等の貯蔵容器の上方に設置され貯蔵容器中の水溶性界面活性剤等の液面に接触しながら回転する水溶性界面活性剤付着用ローラを有する給油装置である。また水溶性界面活性剤付着ローラの速度を変えることにより紙テープへの水溶性界面活性剤の付着量の調整を可能としている。
【００１６】
【請求項５】
の発明は従来、紙が細幅（１．０〜３．０ｍｍ）に裁断された扁平な紙テープのパッケージ形態は細幅（１．０〜３．０ｍｍ）に裁断された扁平な紙テープが紙管にスパイラル状（綾角度０．５°〜１．０°）にかつ積層状に巻かれたパッケージ形態が主流である。これを細幅（１．０〜３．０ｍｍ）に裁断された扁平な紙テープに水溶性界面活性剤等を付着させ綾角度１５°〜４５°の範囲で巻き幅６０〜２５０ｍｍに巻かれたパッケージ形態にすることにより綾角度と水溶性界面活性剤の効果で扁平な紙テープを各種紡績糸、フィラメント糸と同様に扁平な紙テープのエッジ部（スリット面）に接触したときと扁平な紙テープの裏表面に接触したときとの張力変動にほとんど影響することなく細幅（１．０〜３．０ｍｍ）に裁断された扁平な紙テープを容易にパッケージから上方向に引き出すことが可能となり撚糸工程、製織編み工程での使いやすさを向上させるものである。
【００１７】
【請求項６】
の発明は紙が細幅（１．０〜３．０ｍｍ）に裁断された扁平な紙テープが紙管にスパイラル状（綾角度０．５°〜１．０°）にかつ積層状に巻かれたパッケージを水溶性界面活性剤と水の混合水溶液の中に浸けてその後
【請求項１】
の巻き取り装置において給油機構を除外して巻き取る方法。
【発明を実施するための最良の形態】
【００１８】
【実施例１】での説明は本発明の巻き取り装置で〔図１〕に準拠するものであり、
【実施例１】に使用した紙テープは主原料をマニラ麻として製造された原紙を１５ｇ／ｍ２で１．５ｍｍの幅に裁断された扁平な紙テープが約１８０００ｍ紙管にスパイラル状（綾角度０．５°〜１．０°）にかつ積層状に巻かれたパッケージＴである。
【実施例１】
【００１９】機台フレーム１８の前面に設置され支持架台１の上面に垂直方向に固定された専用固定台２に主原料をマニラ麻として製造された原紙を１５ｇ／ｍ２で１．５ｍｍの幅に裁断された扁平な紙テープが紙管にスパイラル状にかつ積層状に巻かれたパッケージＴを固定する。専用固定台２は垂直方向に設置されたピン２Ｂを軸中心として専用固定台２が回転する機構になっており底辺部分にはパッケージの転倒、振動を防止するための主原料をマニラ麻として製造された原紙を１５ｇ／ｍ２で１．５ｍｍの幅に裁断された扁平な紙テープがスパイラル状にかつ積層状に巻かれた紙管が装着固定できる専用アタッチメント２Ａが装着されている。専用アタッチメント２Ａは巻き返す紙テープのパッケージの仕様に準拠し容易に交換装着が可能である。【００２０】専用アタッチメント２Ａに装着された主原料をマニラ麻として製造された原紙を１５ｇ／ｍ２で１．５ｍｍの幅に裁断された扁平な紙テープが紙管にスパイラル状にかつ積層状に巻かれたパッケージＴから扁平な紙テープＴＡをモータで駆動する巻き取りドラム１９の回転速度（毎分１５００ｍ程度）でスネール型糸道ガイド３を介して引き出すと扁平な紙テープＴＡの引き出し張力により専用アタッチメント２Ａに装着された主原料をマニラ麻として製造された原紙を１５ｇ／ｍ２で１．５ｍｍの幅に裁断された扁平な紙テープが紙管にスパイラル状にかつ積層状に巻かれたパッケージＴは扁平な紙テープＴＡの引き出し方向〔図４〕矢印Ｆと同方向〔図４〕矢印Ｒ方向つまり解除方向に回転する。結果、扁平な紙テープＴＡの主原料をマニラ麻として製造された原紙を１５ｇ／ｍ２で１．５ｍｍの幅に裁断した扁平な紙テープが紙管にスパイラル状（綾角度０．５°〜１．０°）にかつ積層状に巻かれたパッケージＴからの引き出し張力が安定し糸切れを軽減する。【００２１】スネール型糸道ガイド３を介して引き出された主原料をマニラ麻として製造された原紙を１５ｇ／ｍ２で１．５ｍｍの幅に裁断された扁平な紙テープＴＡは支持架台１の最上部に設置された糸道ガイド５に取り付けられたセラミック製の筒状ガイド４の中を通過する。このセラミック製の筒状ガイド４によって主原料をマニラ麻として製造された原紙を１５ｇ／ｍ２で１．５ｍｍの幅に裁断された扁平な紙テープＴＡの左右への糸走行状態が安定する。【００２２】糸道ガイド５に取り付けられたセラミック製の筒状ガイド４の中を通過した主原料をマニラ麻として製造された原紙を１５ｇ／ｍ２で１．５ｍｍの幅に裁断された扁平な紙テープＴＡは水溶性界面活性剤等７が入った貯蔵用容器６の上方に設置され水溶性界面活性剤等の水面から下方に１０ｍｍ程度浸かった状態のモータ駆動で回転する水溶性界面活性剤等付着用ローラ８の上表面に接触しながら軽く捩れた状態で通過する。【００２３】貯蔵用容器６の水溶性界面活性剤等７、つまり給油機構で使用する水溶性界面活性剤等７は紙本来の特性を損なわず主原料をマニラ麻として製造された原紙を１５ｇ／ｍ２で１．５ｍｍの幅に裁断された扁平な紙テープＴＡの裏表面やエッジ面（スリット部）の平滑性を向上させまた柔軟性、制電性を付与する効果のあるエマルジョン化されたものが主原料をマニラ麻として製造さ��た原紙を１５ｇ／ｍ２で１．５ｍｍの幅に裁断した扁平な紙テープＴＡの用途目的によって適当に選択される。【００２４】貯蔵用容器６の水溶性界面活性剤等７はアニオン系（陰イオン系）では鉱物油−陰イオン活性剤、植物油−陰イオン活性剤、動物油−陰イオン活性剤、アルキル硫酸エステル塩、アルキルリン酸エステル塩、ジメチルポリシロキサン乳化物等があり、ノニオン系（非イオン系）では鉱物油−非イオン活性剤、植物油−非イオン活性剤、動物油−非イオン活性剤、パラフィン乳化物等があり、カチオン系（陽イオン系）ではアルキルアマイドアミン誘導体、アミノ変性ポリシロキサン乳化物、オルガノポリシロキサン乳化物等を用いるのが適当ではあるが勿論これらの油剤に限定されるわけではない。またこれらの油剤に目的に応じて撥水撥油性物質、抗菌性物質、難燃性物質等を添加してもよい。【００２５】再び実施例の説明に戻ると主原料をマニラ麻として製造された原紙を１５ｇ／ｍ２で１．５ｍｍの幅に裁断された扁平な紙テープＴＡは水溶性界面活性剤等７が入った貯蔵用容器６の上方に設置され水溶性界面活性剤等の水面から下方に１０ｍｍ程度浸かった状態のモータ駆動で回転する水溶性界面活性剤等付着用ローラ８の上表面に接触しながら軽く捩れた状態で通過するので水溶性界面活性剤等７は主原料をマニラ麻として製造された原紙を１５ｇ／ｍ２で１．５ｍｍの幅に裁断した扁平な紙テープＴＡに付着する。水溶性界面活性剤等７の主原料をマニラ麻として製造された原紙を１５ｇ／ｍ２で１．５ｍｍの幅に裁断された扁平な紙テープＴＡへの付着量の調整手段は主原料をマニラ麻として製造された原紙を１５ｇ／ｍ２で１．５ｍｍの幅に裁断された扁平な紙テープＴＡの糸速が毎分１５００ｍとかなり高速なので貯蔵用容器６に充たされた水溶性界面活性剤等７の液面の水位による変化より水溶性界面活性剤等７が入った貯蔵用容器６の上方に設置され水溶性界面活性剤等７の水面から下方に１０ｍｍ程度浸かった状態のモータ駆動で回転する水溶性界面活性剤等付着用ローラ８における回転速度の変化によるもののほうが好ましい。【００２６】水溶性界面活性剤等７が付着した主原料をマニラ麻として製造された原紙を１５ｇ／ｍ２で１．５ｍｍの幅に裁断した扁平な紙テープＴＢは機台フレーム１８の上面に設置された支持金具１７に鉄製の丸棒で固定されたテンション装置１５に導かれる。テンション装置１５の入り口部分には高速で通過する水溶性界面活性剤等７が付着した主原料をマニラ麻として製造された原紙を１５ｇ／ｍ２で１．５ｍｍの幅に裁断された扁平な紙テープＴＢによる水溶性界面活性剤等７の飛散を防止するためのアクリル製円盤９が取り付けられている。アクリル製円盤９の中心部にはセラミック製の筒状ガイド１０が取り付けられており水溶性界面活性剤等７が付着した主原料をマニラ麻として製造された原紙を１５ｇ／ｍ２で１．５ｍｍの幅に裁断された扁平な紙テープＴＢはこの中を通過していく。【００２７】アクリル製円盤９の中心部に固定されたセラミック製の筒状ガイド１０の中を通過した水溶性界面活性剤等７が付着した主原料をマニラ麻として製造された原紙を１５ｇ／ｍ２で１．５ｍｍの幅に裁断された扁平な紙テープＴＢはテ��ション装置１５の中心部にそなえられた回転機構を有する回転台１５′に垂直方向にたてられ表面に水平方向の溝がきざまれたネジ１１と２枚の皿状ウェイトワッシャー−１２、１３で構成されるテンション部と水平方向の溝がきざまれたネジ１１′と２枚の皿状ウェイトワッシャー１２′、１３′で構成されるテンション部の間を〔図２〕で判るように表面に水平方向の溝がきざまれたネジ１１とネジ１１′の表面に接触しながら通過する。テンションの調整は矢印Ｆの方向、逆方向に回転台１５′を移動させる手段と皿状ウェイトワッシャー１２、１２′の上面に別のウェイトを追加する手段がある。基本的には回転台１５′を矢印Ｆの方向に移動すると水溶性界面活性剤等７が付着した主原料をマニラ麻として製造された原紙を１５ｇ／ｍ２で１．５ｍｍの幅に裁断された扁平な紙テープＴＢへの摩擦抵抗が増し張力が高くなるので余分に付着した水溶性界面活性剤の絞り効果が増加する。矢印Ｆと反対方向に回転台１５′を移動させると水溶性界面活性剤等７が付着した主原料をマニラ麻として製造された原紙を１５ｇ／ｍ２で１．５ｍｍの幅に裁断された扁平な紙テープＴＢへの摩擦抵抗が減り張力が低くなるので絞り効果が減少する。【００２８】テンション装置１５の中心部にそなえられた回転機構を有する回転台１５′に垂直方向にたてられ表面に水平方向の溝がきざまれたネジ１１と２枚の皿状ウェイトワッシャ−１２、１３で構成されるテンション部と水平方向の溝がきざまれたネジ１１′と２枚の皿状ウェイトワッシャー１２′、１３′で構成されるテンション部の間を表面に水平方向の溝がきざまれたネジ１１とネジ１１′の表面に接触しながら通過した水溶性界面活性剤等７が付着した主原料をマニラ麻として製造された原紙を１５ｇ／ｍ２で１．５ｍｍの幅に裁断された扁平な紙テープＴＢは余分な水溶性界面活性剤７が除去され均一に水溶性界面活性剤７が付与された主原料をマニラ麻として製造された原紙を１５ｇ／ｍ２で１．５ｍｍの幅に裁断した扁平な紙テープＴＣとなりテンション装置１５の後部に固定されたセラミック製の筒状ガイド１４の中を通過していく。【００２９】テンション装置１５の後部に固定されたセラミック製の筒状ガイド１４の中を通過した余分な水溶性界面活性剤７が除去され均一に水溶性界面活性剤７が付与され主原料をマニラ麻として製造された原紙を１５ｇ／ｍ２で１．５ｍｍの幅に裁断された扁平な紙テープＴＣはモータの駆動で回転するドラムローラ１９の円周上の表面に刻まれた特殊な溝に導かれる。【００３０】円周上の表面に刻まれた特殊な溝はドラムローラ１９の回転により左右の往復動作、つまりトラバース動作を繰り返す。この動作により余分な水溶性界面活性剤７が除去され均一に水溶性界面活性剤７が付与され主原料をマニラ麻として製造された原紙を１５ｇ／ｍ２で１．５ｍｍの幅に裁断された扁平な紙テープＴＣは左右に振られる。この際特殊な溝の進行方向の表面に接触しながら左右に移動するのでその摩擦抵抗により裏表がひっくり返る。その結果余分な水溶性界面活性剤７が除去され均一に水溶性界面活性剤７が付与された主原料をマニラ麻として製造された機械漉和紙を１５ｇ／ｍ２で１．５ｍｍの幅に裁断された扁平な紙��ープＴＣは左から右の移動ではＺ方向の撚り、右から左の移動ではＳ方向の撚りが与えられ一本の扁平な紙テープ上にわずかながらのＳ方向の撚りとＺ方向の撚りが形成された水溶性界面活性剤７が除去され均一に水溶性界面活性剤７が付与された主原料をマニラ麻として製造された原紙を１５ｇ／ｍ２で１．５ｍｍの幅に裁断された扁平な紙テープＴＤとなる。【００３１】また余分な水溶性界面活性剤７が除去され均一に水溶性界面活性剤７が付与され主原料をマニラ麻として製造された原紙を１５ｇ／ｍ２で１．５ｍｍの幅に裁断された扁平な紙テープＴＣが特殊な溝の進行方向の表面に接触しながら移動するときの特殊な溝の両端における方向転換部の角度、つまり綾角度を１５°〜４５°の範囲に設定することによりドラムの円周上の表面にきざまれた溝で水溶性界面活性剤７が除去され均一に水溶性界面活性剤７が付与され主原料をマニラ麻として製造された原紙を１５ｇ／ｍ２で１．５ｍｍの幅に裁断された扁平な紙テープＴＣを左右に誘導し引っ張られる際の扁平な紙テープＴＣに対して斜めの引き裂き張力を軽減し巻き取り工程においての扁平な紙テープＴＣの糸切れを防止する。【００３２】最終的に一本の扁平な紙糸上にわずかながらのＳ方向の撚りとＺ方向の撚りが形成された水溶性界面活性剤７が除去され均一に水溶性界面活性剤７が付与された主原料をマニラ麻として製造された原紙を１５ｇ／ｍ２で１．５ｍｍの幅に裁断された扁平な紙テープＴＤは円周上の表面に特殊な溝が刻まれたドラムローラ１９の上面に設置され支持金具２１と紙管ホルダー２０で構成されたクレドール装置に円周上の表面に特殊な溝が刻まれたドラムローラ１９と接触した形態で円周上の表面に特殊な溝が刻まれたドラムローラ１９の周速と同速度で回転する紙管２２に巻き取られる。【００３３】紙管２２に巻き取られた一本の扁平な紙糸上にわずかながらのＳ方向の撚りとＺ方向の撚りが形成された水溶性界面活性剤７が除去され均一に水溶性界面活性剤７が付与された主原料をマニラ麻として製造された原紙を１５ｇ／ｍ２で１．５ｍｍの幅に裁断された扁平な紙テープＴＤは綾角度１５°〜４５°の範囲で巻き幅６０〜２５０ｍｍで巻かれたパッケージ形態となる。
【図面の簡単な説明】
【００３４】
【図１】本発明で扁平な紙テープがスパイラル状かつ積層状に巻かれたパッケージ形態を綾角度１５°〜４５°の範囲で巻き幅６０〜２５０ｍｍのパッケージ形態に巻き返す
【実施例１】の巻き取り装置の側面図である。
【図２】
【実施例１】のテンション装置１５の上面図である
【図３】
【実施例１】のテンション装置１５の側面図である
【図４】
扁平な紙テープがスパイラル状かつ積層状に巻かれたパッケージの上面図で紙テープの解除とパッケージの回転方向を示した図である。
【図Ａ】
扁平な紙テープがスパイラル状かつ積層状に巻かれたパッケージ形態図である。
【図Ｂ】
本発明の
【実施例１】において巻き返された綾角度１５°〜４５°の範囲で巻き幅６０〜２５０ｍｍのパッケージ形態図である。
【符号の説明】
【００４２】２                専用固定台２Ａ              専用アタッチメントＴＡ              扁平な紙テープがスパイラル状かつ積層状に巻かれたパッケージ３                スネールガイド６                貯蔵用容器７                水溶性界面活性剤８                水溶性界面活性剤付着用ローラ１０、１４        セラミック製筒状ガイド１５              テンション装置１５′            回転台１９              巻き取りドラム２２              巻き取り装置フレームＴＤ              綾角度１５°〜４５°以下で巻き幅１００〜２５０ｍｍのパッケージ
【図１】
2005306600.tif 000003
【図２】
2005306600.tif 000004
【図３】
2005306600.tif 000005
【図４】
2005306600.tif 000006
【図Ａ】
2005306600.tif 000007
【図Ｂ】
2005306600.tif 000008
【手続補正書】
【提出日】平成16年6月22日(2004.6.22)
【手続補正１】
【補正対象書類名】明細書
【補正対象項目名】００３４
【補正方法】変更
【補正の内容】
【００３４】【図１】本発明で扁平な紙テープがスパイラル状かつ積層状に巻かれたパッケージ形態を綾角度１５°〜４５°の範囲で巻き幅６０〜２５０ｍｍのパッケージ形態に巻き返す【実施例１】の巻き取り装置の側面図である。【図２】【実施例１】のテンション装置１５の上面図である【図３】【実施例１】のテンション装置１５の側面図である【図４】扁平な紙テープがスパイラル状かつ積層状に巻かれたパッケージの上面図で紙テープの解除とパッケージの回転方向を示した図である。【図５】扁平な紙テープがスパイラル状（綾角度０．５°〜１．０°）にかつ積層状に巻かれたパッケージ形態図である。【図６】本発明の【実施例１】において巻き返された綾角度１５°〜４５°の範囲で巻き幅６０〜２５０ｍｍのパッケージ形態図である。【手続補正２】
【補正対象書類名】明細書
【補正対象項目名】００３５
【補正方法】変更
【補正の内容】
【００３５】  ２                専用固定台  ２Ａ              専用アタッチメント  Ｔ                扁平な紙テープがスパイラル状かつ積層状に巻かれたパッケージ  ３                スネールガイド  ６                貯蔵用容器  ７                水溶性界面活性剤  ８                水溶性界面活性剤付着用ローラ  １０、１４        セラミック製筒状ガイド  １５              テンション装置  １５′            回転台  １９              巻き取りドラム  ２２              巻き取り装置フレーム  ＴＤ              綾角度１５°〜４５°以下で巻き幅１００〜２５０ｍｍのパッケー                    ジ
【手続補正３】
【補正対象書類名】図面
【補正対象項目名】全図
【補正方法】変更
【補正の内容】
【書類名】図面    【図１】2005306600.tif 000009
【図２】2005306600.tif 000010
【図３】2005306600.tif 000011
【図４】2005306600.tif 000012
【図５】2005306600.tif 000013
【図６】2005306600.tif 000014